(57)【特許請求の範囲】
【請求項１】
枠体に対して回動自在に支持される面材の吊り元側上端部に設けられるピボットヒンジ装置であって、
前記面材に固定される第１支持部材および第２支持部材と、前記第１支持部材に基端部側が連結されかつ他端部側が前記第２支持部材に挿通されて前記枠体側に突出する回動軸部材と、前記第２支持部材に対して前記第１支持部材および回動軸部材を突出方向に付勢する付勢部材と、前記第１支持部材を前記面材に固定する第１固定部材と、前記第２支持部材を前記面材に固定する第２固定部材とを備え、
前記第１支持部材と前記第２支持部材とが前記面材の厚み方向または幅方向に相対移動可能で、この相対移動に伴って前記回動軸部材の前記面材からの突出角度が変更可能に構成されるピボットヒンジ装置。
【請求項２】
前記第１支持部材および前記第２支持部材は、それぞれ前記面材における吊り元側見込み面に前記第１固定部材および第２固定部材によって固定され、前記面材の厚み方向に相対移動可能に構成される請求項１に記載のピボットヒンジ装置。
【請求項３】
前記第１支持部材は、前記回動軸部材の基端部側が連結される第１底面部と、前記回動軸部材の中間部側が挿通される第１挿通部が設けれらた第１上面部とを有しており、
前記第２支持部材は、前記回動軸部材の他端部側が挿通される第２上面部と、前記回動軸部材の基端部側が挿通される第２挿通部が設けられた第２底面部とを有しており、
前記第１挿通部および第２挿通部は、挿通された前記回動軸部材の前記相対移動方向側にクリアランスを有している請求項１または請求項２に記載のピボットヒンジ装置。
【請求項４】
枠体と、この枠体に開閉自在に支持される面材とを備えた建具であって、
前記面材の吊り元側上端部には、請求項１から請求項３のいずれかに記載のピボットヒンジ装置が設けられている建具。
【発明の詳細な説明】
【技術分野】
【０００１】
本発明は、ピボットヒンジ装置および建具に関し、詳しくは、枠体に対して回動自在に支持される面材の吊り元側上端部に設けられるピボットヒンジ装置、および建具に関する。
【背景技術】
【０００２】
従来、家具などに設けられる開閉扉を回動自在に支持するピボットヒンジが知られている（例えば、特許文献１参照）。
特許文献１に記載されたピボットヒンジは、扉の吊り元側に上下一対で設けられており、上側のピボットヒンジは、扉の上部に固定される上ケースと、この上ケースから上方に突出して天板のヒンジ受けに軸支されるピボット軸とを有し、下側のピボットヒンジは、扉の下部に固定される下ケースと、この下ケースから下方に突出して地板のヒンジ受けに軸支されるピボット軸とを有して構成されている。そして、上側のピボットヒンジにおいて、ピボット軸は、上ケースに対して上下進退自在に支持されるとともにばねによって上方に付勢されており、ピボット軸を上ケース内に没入させて天板のヒンジ受けから外すことで、扉が取り外しできるようになっている。一方、下側のピボットヒンジにおいて、ピボット軸は、下ケースに対して見付け方向にスライド移動可能に支持されており、ピボット軸をスライドさせることで、扉の見付け方向位置が調整できるようになっている。
【０００３】
【特許文献１】特許第２９９０４２９号公報
【発明の開示】
【発明が解決しようとする課題】
【０００４】
しかしながら、特許文献１に記載された従来のピボットヒンジでは、扉の取り外し時および建て込み時の没入機構が上側のピボットヒンジに設けられ、扉の位置調整機構が下側のピボットヒンジに設けられている。このため、家具用の扉であればサイズが小さく重量も軽量であり、ピボットヒンジに作用する荷重が比較的小さいため、下側のピボットヒンジに位置調整機構を設けていても調整作業が比較的容易に実施できたが、扉のサイズが大きく重量が重い玄関ドアなどにおいて、下側のピボットヒンジに位置調整機構を設けると、調整作業が困難になってしまうという問題もある。
【０００５】
本発明の目的は、位置調整作業が容易に実施できるピボットヒンジ装置および建具を提供することにある。
【課題を解決するための手段】
【０００６】
本発明のピボットヒンジ装置は、枠体に対して回動自在に支持される面材の吊り元側上端部に設けられるピボットヒンジ装置であって、前記面材に固定される第１支持部材および第２支持部材と、前記第１支持部材に基端部側が連結されかつ他端部側が前記第２支持部材に挿通されて前記枠体側に突出する回動軸部材と、前記第２支持部材に対して前記第１支持部材および回動軸部材を突出方向に付勢する付勢部材と、前記第１支持部材を前記面材に固定する第１固定部材と、前記第２支持部材を前記面材に固定する第２固定部材とを備え、前記第１支持部材と前記第２支持部材とが前記面材の厚み方向または幅方向に相対移動可能で、この相対移動に伴って前記回動軸部材の前記面材からの突出角度が変更可能に構成されることを特徴とする。
【０００７】
ここで、本発明のピボットヒンジ装置が設けられる面材としては、玄関などの出入り口用の扉や、開き窓などに用いられる障子やパネル材、家具の開閉扉等、各種の開閉面材が例示でき、その用途は特に限定されない。
【０００８】
以上の本発明によれば、面材の吊り元側上端部に設けられるピボットヒンジ装置において、第２固定部材によって第２支持部材を面材に固定するとともに第１固定部材による第１支持部材の固定を解除することで、第１支持部材および回動軸部材が第２支持部材に対して移動可能となり、かつ、付勢部材の付勢力に抗して下方へ没入可能となる。さらに、第１固定部材によって第１支持部材を面材に固定するとともに第２固定部材による第２支持部材の固定を解除し、かつ、第１支持部材と前記第２支持部材とを面材の厚み方向または幅方向に相対移動させることで、回動軸部材の面材からの突出角度が変更可能となる。従って、回動軸部材の没入機構および位置調整機構の両方の機構を備えたピボットヒンジ装置を面材の上端部に設けることで、面材の建て込みや取り外し時の作業、および位置調整の作業を面材の上部側で実施することができ、作業性を向上させることができる。また、前述した各機構を面材の下端部側に設ける必要がなくなることから、面材からの大きな荷重を受ける下端部側のヒンジ構造が簡単化できる。
【０００９】
この際、本発明のピボットヒンジ装置では、前記第１支持部材および前記第２支持部材は、それぞれ前記面材における吊り元側見込み面に前記第１固定部材および第２固定部材によって固定され、前記面材の厚み方向に相対移動可能に構成されることが好ましい。
このような構成によれば、第１固定部材および第２固定部材が面材の吊り元側見込み面に設けられるので、これらの固定部材が目立たなくでき、面材の意匠性を向上させることができる。
【００１０】
さらに、本発明のピボットヒンジ装置では、前記第１支持部材は、前記回動軸部材の基端部側が連結される第１底面部と、前記回動軸部材の中間部側が挿通される第１挿通部が設けれらた第１上面部とを有しており、前記第２支持部材は、前記回動軸部材の他端部側が挿通される第２上面部と、前記回動軸部材の基端部側が挿通される第２挿通部が設けられた第２底面部とを有しており、前記第１挿通部および第２挿通部は、挿通された前記回動軸部材の前記相対移動方向側にクリアランスを有していることが好ましい。
このような構成によれば、第１支持部材の第１底面部と第２支持部材の第２上面部とが相対移動することで回動軸部材が傾動する際に、第１支持部材の第１挿通部および第２支持部材の第２挿通部が回動軸部材の傾動を妨げることがないようにできる。
【００１１】
一方、本発明の建具は、枠体と、この枠体に開閉自在に支持される面材とを備えた建具であって、前記面材の吊り元側上端部には、前記いずれかのピボットヒンジ装置が設けられていることを特徴とする。
このような本発明の建具によれば、前述のピボットヒンジ装置と同様の効果を得ることができる。すなわち、面材の建て込みや取り外し時の作業、および位置調整の作業を面材の上部側で実施することができ、作業性を向上させることができるとともに、面材の荷重を受ける下端部側のヒンジ構造が簡単化できる。
【発明を実施するための最良の形態】
【００１２】
以下、本発明の実施形態を図面に基づいて説明する。
図１は、本発明の実施形態に係る建具である玄関ドア１を示す縦断面図である。図２は、玄関ドア１を示す横断面図である。
図１および図２において、玄関ドア１は、外壁開口部に固定される枠体としてのドア枠２と、このドア枠２に開閉自在に支持される面材としての扉３および子扉４とを備えて構成されている。ドア枠２は、それぞれアルミ形材製の上枠５、下枠６および左右の縦枠７，８を有して構成され、扉３は、図２中、左側の縦枠７近傍位置を回動中心として屋外側に開閉自在に支持され、子扉４は、図２中、右側の縦枠８近傍位置を回動中心として屋外側に開閉自在に支持されている。また、扉３および子扉４は、それぞれ上下左右に四周枠組みされた枠材３Ａ，４Ａと、この枠材３Ａ，４Ａの室内外にそれぞれ固定された金属製のパネル３Ｂ，４Ｂと、室内外のパネル３Ｂ，４Ｂ間に設けられた断熱材とを備えて構成されている。そして、下枠６に設けられた下ヒンジ６Ａに扉３および子扉４の吊り元側下端部が軸支されるとともに、吊り元側上端部に設けられたピボットヒンジ装置１０が上枠５のヒンジ受け５Ａに軸支されることで、当該扉３および子扉４が各々回動自在に支持されている。
【００１３】
次に、扉３に設けられるピボットヒンジ装置１０の構造について、図３〜図５に基づいて説明する。ここで、図３は、扉３の吊り元側上端部を拡大して示す断面図である。図４は、ピボットヒンジ装置１０を示す斜視図である。図５は、ピボットヒンジ装置１０の動作を示す断面図である。
ピボットヒンジ装置１０は、扉３の吊り元側端面内側に固定されるベース部材（第２支持部材）１１およびスライド部材（第１支持部材）１２と、これらのベース部材１１およびスライド部材１２に支持される回動軸部材１３と、回動軸部材１３を突出方向である上方に付勢するコイルばね（付勢部材）１４とを有して構成されている。ベース部材１１は、枠材３Ａを貫通する５本のねじ（第２固定部材）１５によって扉３の吊り元側見込み面に固定され、スライド部材１２は、枠材３Ａ（または枠材４Ａ）を貫通する１本のねじ（第１固定部材）１６によって扉３の吊り元側見込み面に固定されている。
【００１４】
ベース部材１１は、金属板材を折り曲げ加工して形成されており、上下に延びるベース部材背面部１１１と、このベース部材背面部１１１の上端に連続して扉３の上面に沿って延びるベース部材上面部（第２上面部）１１２と、このベース部材上面部１１２の見付け方向外端（扉３の幅方向吊り元側端）から下方に折れ曲がる上部固定面部１１３と、ベース部材背面部１１１の下端に連続して見付け方向外側（扉３の幅方向吊り元側）に延びるベース部材底面部（第２底面部）１１４と、このベース部材底面部１１４の見付け方向外端から下方に折れ曲がる下部固定面部１１５とを有して構成されている。そして、上部固定面部１１３は、４本のねじ１５によって扉３の枠材３Ａに固定され、下部固定面部１１５は、１本のねじ１５によって枠材３Ａに固定されている。
【００１５】
スライド部材１２は、金属板材を折り曲げ加工して形成されており、上下に延びるスライド部材背面部１２１と、このスライド部材背面部１２１の上端に連続してベース部材上面部１１２の下方に対向して延びるスライド部材上面部（第１上面部）１２２と、スライド部材背面部１２１の見付け方向外端から屋外側に折れ曲がるスライド部材固定面部１２３と、スライド部材背面部１２１の下端に連続してベース部材底面部１１４の下側に沿って延びるスライド部材底面部（第１底面部）１２４とを有して構成されている。そして、スライド部材固定面部１２３は、１本のねじ１６によって扉３の枠材３Ａに固定されている。
【００１６】
回動軸部材１３は、円柱状の金属棒材であって、その基端部（下端部）がスライド部材底面部１２４に係止され、他端部がベース部材底面部１１４、スライド部材上面部１２２およびベース部材上面部１１２に挿通されるとともに、扉３の上端縁から上枠５に向かって突出して設けられている。すなわち、スライド部材底面部１２４には、回動軸部材１３の下端部を係止する係止部１２４Ａが形成され、ベース部材底面部１１４、スライド部材上面部１２２およびベース部材上面部１１２には、それぞれ回動軸部材１３を挿通させる挿通孔（第２挿通部）１１４Ａ、挿通孔（第１挿通部）１２２Ａおよび挿通孔１１２Ａが形成されている。また、コイルばね１４は、回動軸部材１３を挿通させるとともに、ベース部材底面部１１４とスライド部材上面部１２２との間に圧縮状態で設けられており、ベース部材底面部１１４に対してスライド部材上面部１２２を上方に付勢することで、回動軸部材１３を突出方向に付勢するように構成されている。
【００１７】
このようなピボットヒンジ装置１０には、扉３の建て込み時や取り外し時に回動軸部材１３を下方に没入させてヒンジ受け５Ａから外す没入機構が設けられている。すなわち、ねじ１６を外してスライド部材１２の固定を解除することで、スライド部材１２がベース部材１１に対して上下スライド可能に構成され（第１可動状態）、この第１可動状態において、図５に示すように、コイルばね１４の付勢力に抗してスライド部材１２を下方に押し下げることで、回動軸部材１３の他端側が扉３の内部側（下方）に没入されるようになっている。ここで、図４に示すように、扉３の吊り元側見込み面には、上下に長い長孔３Ｃが形成され、スライド部材固定面部１２３には、操作孔１２３Ａが形成されており、長孔３Ｃを介して操作孔１２３Ａに工具を差し込むことで、スライド部材１２を没入操作することができるようになっている。
【００１８】
次に、ピボットヒンジ装置１０の見込み方向の位置調整機構について図６〜図８も参照して説明する。ここで、図６は、扉３を見込み方向に位置調整した状態の玄関ドア１を示す縦断面図である。図７は、ピボットヒンジ装置１０における見込み方向の位置調整動作を示す断面図である。図８(Ａ)，(Ｂ)は、見込み方向の位置調整動作を模式的に示す断面図である。
ピボットヒンジ装置１０には、玄関ドア１におけるドア枠２に対する扉３の見込み方向の位置を調整する位置調整機構が設けられている。
【００１９】
すなわち、ねじ１５を緩めてベース部材１１の固定を解除することで、ベース部材１１がスライド部材１２に対して見込み方向（面材である扉３の厚み方向）にスライド可能に構成され（第２可動状態）、この第２可動状態において、図７および図８に示すように、ベース部材１１を見込み方向屋内側に移動させることで、回動軸部材１３の上端側（他端部側）が屋内側に傾斜する。そして、回動軸部材１３の扉３からの突出角度が変更されることで、ヒンジ受け５Ａに対して回動軸部材１３の下端側（基端部側）が屋外側に移動し、これに伴って扉３の上部が屋外側に移動（傾動する）するように位置調整されるようになっている。ここで、図７に示すように、ベース部材底面部１１４およびスライド部材上面部１２２の挿通孔１１４Ａ，１２２Ａは、見込み方向に長く形成された（挿通された回動軸部材１３の相対移動方向側にクリアランスが形成された）長孔となっており、ベース部材１１をスライドさせても回動軸部材１３と干渉しない（挿通孔１１４Ａ，１２２Ａが回動軸部材１３の傾動の妨げにならない）ようになっている。また、図４に示すように、扉３の吊り元側見込み面において、ねじ１５を挿通させる挿通孔３Ｄは、見込み方向に長く形成されており、ベース部材１１を見込み方向にスライドさせた適宜な位置において、ねじ１５を再度締め付けることで、見込み方向の位置調整後の状態が維持できるようになっている。
【００２０】
このような本実施形態によれば、以下のような効果がある。
（１）すなわち、扉３の吊り元側上端部に設けたピボットヒンジ装置１０に、回動軸部材１３を下方に没入させる没入機構と、回動軸部材１３の扉３からの突出角度（傾動角度）を変更して扉３の見込み方向の位置を調整する位置調整機構とが設けられているので、扉３の建て込みや取り外し時の作業、および位置調整の作業を扉３の上部側で実施することができ、作業性を向上させることができる。また、前述した位置調整機構を扉３の下端部側に設ける必要がなくなることから、大きな荷重を受ける下端部側のヒンジ構造（下ヒンジ６Ａ）が簡単化できる。
【００２１】
（２）また、ピボットヒンジ装置１０における見込み方向の位置調整機構として、スライド部材１２に対してベース部材１１が見込み方向にスライド可能に設けられ、このベース部材１１のスライドに伴って回動軸部材１３の突出角度が変更される構成が採用されているので、ベース部材１１のスライド移動量と、突出角度に伴う回動軸部材１３先端の移動量との関係を適宜に設定することで、扉３の位置調整の自由度を高めることができる。すなわち、回動軸部材１３を平行移動させることで位置調整を行う構成の場合には、回動軸部材１３の平行移動量と扉３の位置調整量とが同一になるため、扉３の見込み方向厚さ寸法の範囲における調整量が限定されてしまっていた。これに対して、回動軸部材１３の扉３からの突出角度を変更させることで位置調整を行う本実施形態によれば、スライド部材１２の係止部１２４Ａを支点としてベース部材１１のベース部材上面部１１２（挿通孔１２２Ａ）の位置で回動軸部材１３を傾斜させることで、ベース部材上面部１１２から突出した回動軸部材１３の先端位置での移動距離がベース部材１１のスライド移動量よりも大きくでき、扉３の位置調整量を拡大することができる。
【００２２】
（３）さらに、ピボットヒンジ装置１０において、ベース部材１１を固定するねじ１５およびスライド部材１２を固定するねじ１６、さらにはスライド部材１２を操作するための長孔３Ｃおよび操作孔１２３Ａが、扉３の吊り元側見込み面に設けられているので、これらのねじ１５，１６および長孔３Ｃが目立たなくでき、玄関ドア１の意匠性を向上させることができる。
【００２３】
なお、本発明は、前記実施形態に限定されるものではなく、本発明の目的が達成できる他の構成等を含み、以下に示すような変形等も本発明に含まれる。
例えば、前記実施形態においては、玄関ドア１を例示して説明したが、本発明の建具としては、玄関ドア１に限らず、面材である扉体や障子が回動開閉可能に設けられた建具であって、ピボットヒンジ装置によって扉体や障子が支持されたものであればよく、例えば、開き窓等の窓や、家具の開閉扉などであってもよい。
また、前記実施形態では、扉３の吊り元側上端部に設けられるピボットヒンジ装置１０について説明したが、子扉４の吊り元側上端部にも同様に設けることができる。
また、前記実施形態では、扉３の吊り元側上端部のみにピボットヒンジ装置１０を設け、吊り元側下端部を下ヒンジ６Ａで支持する構造であったが、これに限らず、吊り元側上端部に設けられたピボットヒンジ装置１０に組み込まれていない位置調整機構を下ヒンジ6Ａに設けてもよい。
【００２４】
また、第２可動状態における第２支持部材のスライド方向としては、見込み方向（面材の厚み方向）に限らず、見付け方向（面材の幅方向）としてもよく、第２支持部材が見付け方向にスライド可能な第２可動状態を構成すれば、面材を見付け方向に位置調整する調整機構を付与することができる。
【００２５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２６】
【図１】本発明の実施形態に係る建具を示す縦断面図である。
【図２】前記建具を示す横断面図である。
【図３】前記建具における面材の吊り元側上端部を拡大して示す断面図である。
【図４】前記建具に設けられるピボットヒンジ装置を示す斜視図である。
【図５】前記ピボットヒンジ装置の動作を示す断面図である。
【図６】前記面材を位置調整した状態の建具を示す縦断面図である。
【図７】前記ピボットヒンジ装置の位置調整動作を示す断面図である。
【図８】(Ａ)，(Ｂ)は、前記面材の位置調整動作を模式的に示す断面図である。
【符号の説明】
【００２７】
１…玄関ドア（建具）、２…枠体、３…扉（面材）、４…子扉（面材）、１０…ピボットヒンジ装置、１１…ベース部材（第２支持部材）、１２…スライド部材（第１支持部材）、１３…回動軸部材、１４…コイルばね（付勢部材）、１５…ねじ（第２固定部材）、１６…ねじ（第１固定部材）。
【図１】
0004871323.tif 000002
【図２】
0004871323.tif 000003
【図３】
0004871323.tif 000004
【図４】
0004871323.tif 000005
【図５】
0004871323.tif 000006
【図６】
0004871323.tif 000007
【図７】
0004871323.tif 000008
【図８】
0004871323.tif 000009